(57)【特許請求の範囲】
【請求項１】
底面部に適宜の間隔をおいて複数の略逆Ｕ字形状に形成された立上り部が平行状に形成されてなる屋根板材が下地部上に葺成され、前記底面部には栽培層が配置され、前記屋根板材の一方側の立上り部の外端縁から取付縁が形成され、該取付縁が前記下地部に固着され、前記屋根板材に隣接する次位の屋根板材の他方側の立上り部が、前位屋根板材の一方側の立上り部に接合され、前記屋根板材の取付縁は、取付基部から略直角に立上り形成された垂直状部の上端に断面略円形状に屈曲形成された係止部を有する吊子にて、前記下地部上に固着され、前記一方側の立上り部上に、隣接する次位の屋根板材の他方側の立上り部が重合され、該他方側の立上り部が前記吊子の係止部に係止固着されてなることを特徴とする緑化屋根。
【請求項２】
請求項１において、二つの挟持部及び締付具とから構成され、前記挟持部の下端は、断面略円弧状とした挟持押片が形成され、挟持部には左右対称で且つ略同等形状の挟持部が形成されたジョイント部材の前記挟持部，挟持部が前記立上り部の頂部箇所に装着されてなることを特徴とする緑化屋根。
【発明の詳細な説明】
【０００１】
【発明の属する技術分野】
本発明は、屋根上面にて種々の植物，作物等の栽培を行うことができるもので、植物に補給するための水分を十分に確保することができ、且つ維持，管理も簡単にできる緑化屋根に関する。
【０００２】
【従来の技術】
近年、屋根上面を利用して植物，作物等の栽培が行われている。特に、日当たり，風通し等の栽培条件が適正な場合が多く、このようなことから栽培に適している。また、屋根表面が植物により覆われることで、植物の彩りが屋根の外観を大きく変化させることができる。しかも、緑系統の植物は、屋根を鮮やかに緑化させることができ、これはどの様な塗装を行っても、その雰囲気を再現することはできない。
【０００３】
【発明が解決しようとする課題】
上述した屋根の緑化設備には、植物が必要とする水分の確保が重要である。そのために、屋根には水分をある程度，溜めておくことができる構造が必要であるが、その反面、溜めた水分が下地部側に漏れないようにする防水構造が必要となる。このように緑化屋根は、一般の屋根よりも複雑な構造となる。さらに、通常の屋根のように棟から軒先に向かって傾斜する場合には、植物育成にかかせない水分が傾斜下方に流れてしまい、水分の確保が困難という問題もある。しかも、植物が植設されるベースを土壌とした場合には、その重量も大きくなり、屋根にかかる重量的負担は相当なものであり、強固な構造にすると、どうしても施工費用が高価となる。
【０００４】
【課題を解決するための手段】
そこで、発明者は、上記課題を解決すべく、鋭意，研究を重ねた結果、本発明を、底面部に適宜の間隔をおいて複数の略逆Ｕ字形状に形成された立上り部が平行状に形成されてなる屋根板材が下地部上に葺成され、前記底面部には栽培層が配置され、前記屋根板材の一方側の立上り部の外端縁から取付縁が形成され、該取付縁が前記下地部に固着され、前記屋根板材に隣接する次位の屋根板材の他方側の立上り部が、前位屋根板材の一方側の立上り部に接合され、前記屋根板材の取付縁は、取付基部から略直角に立上り形成された垂直状部の上端に断面略円形状に屈曲形成された係止部を有する吊子にて、前記下地部上に固着され、前記一方側の立上り部上に、隣接する次位の屋根板材の他方側の立上り部が重合され、該他方側の立上り部が前記吊子の係止部に係止固着されてなる緑化屋根としたことにより、屋根上の植物，野菜等を育成する栽培層及び屋根に耐根性（耐久性）を有するものとし、また屋根自体の防水性に優れ且つ構造を簡単にすることができ、上記課題を解決したものである。
【０００５】
【発明の実施の形態】
以下、本発明の実施形態を図面に基づいて説明する。本発明における屋根は、適宜の傾斜角度θを設けてなる屋根と、傾斜の無い平坦屋根のいずれにも適応するものである。ここでは、主に傾斜のある屋根に適応するものとして説明する。まず、屋根板材Ａは、図５（Ａ），（Ｂ），（Ｃ）に示すように、金属薄板材から成形されるものであり、平坦状の底面部１の幅方向両側端に立上り部２，２が形成されている。
【０００６】
該立上り部２，２は、幅方向の一方側に形成される立上り部２を一方側の立上り部２と称する。また、前記一方側の立上り部２と反対側に位置する立上り部２を他方側の立上り部２と称する。なお、両立上り部２，２を一方側と他方側と称するのは、両立上り部２，２を任意に区別するために与えられたものであり、この一方側と他方側とが入れ代わって定義してもかまわない。
【０００７】
さらに、図１乃至図３，図５等に示すように、棟側から軒先に傾斜角度θの勾配を有する下地部１４に、前記屋根板材Ａが配置された場合において、傾斜上方における立上り部２は、水上側立上り部２ｂとなる。また他方側の立上り部２は、傾斜下方における水下側立上り部２ａとなる。またここで、屋根板材Ａにおける水下側と水上側については、屋根板材Ａで屋根を施工する場合に、勾配の傾斜方向における下方側を水下側とし、傾斜方向上方側を水上側とする。
【０００８】
したがって、前記水上側立上り部２ｂ（一方側の立上り部２でもよい）は、屋根板材Ａの水上側に形成され、水下側立上り部２ａ（他方側の立上り部２でもよい）は、屋根板材Ａの水下側に形成されるものである。その水下側立上り部２ａ及び水上側立上り部２ｂは、前記底面部１に対して略直角であり、その上下方向の頂部箇所が折返し頂部となっている。また、水下側立上り部２ａは、その断面形状が略逆Ｕ字形状に形成されている〔図５（Ｂ）参照〕。また、前記水上側立上り部２ｂは、略密着状とした略逆Ｕ字形状の折畳み状に形成されたものである〔図５（Ｃ）参照〕。
【０００９】
さらに、前記水下側立上り部２ａ（他方側の立上り部２）の外端縁には水平縁３が形成されており、水上側立上り部２ｂの外端縁には取付縁４が外方に向かって形成されている〔図５（Ａ）参照〕。まず水平縁３は、前記水下側立上り部２ａの外端から略直角状で、前記底面部１とは略同一面となるようにして形成されている〔図５（Ｂ）参照〕。さらに、水下側の水平縁３の外端箇所は、下方に向かって僅かな傾斜角度とした、屈曲端縁３ａが形成されることもある。前記水上側立上り部２ｂは、水下側立上り部２ａよりも低く形成される。具体的には、水上側立上り部２ｂは、水下側立上り部２ａに対してその高さの略半分程度に形成されている。
【００１０】
次に、取付縁４は、前記水上側立上り部２ｂ（一方側の立上り部２）の外端縁から、該水上側立上り部２ｂに略直角となるように外方に向かって形成されたものである〔図５（Ｃ）参照〕。その取付縁４は、前記底面部１よりも、僅かに下方に位置するように形成されている。また、前記取付縁４は、その外端より内方に向かって折畳み状に形成される折畳み片４ａを有するものである。
【００１１】
さらに、屋根板材Ａには、の幅方向略中央箇所には、中央立上り部２ｃが形成されている。該中央立上り部２ｃは、前記水下側立上り部２ａと水上側立上り部２ｂとの間に位置するもので、前記水下側立上り部２ａと略同一高さに形成され、且つその断面形状は略逆Ｕ字形状に形成されている。これによって、一つの屋根板材Ａのみで、２以上の立上り部２，２，…を有することとなり、該立上り部２，２，…により区画される箇所が多くなり、栽培層１０における各育成用マット１０ａ，１０ａ，…安定した状態で支持することができ、緑化屋根の施工効率を格段と向上させることができ、良質な緑化屋根とすることができる。
【００１２】
次に、吊子Ｂは、図４（Ａ），（Ｂ），（Ｃ）等に示すように、取付部５と係止部６とから構成されたものであり、前記取付部５は、断面略Ｌ字形状に形成されたもので、取付基部５ａ及び垂直状部５ｂとから構成されている。その取付基部５ａは、略平板状をなし、前記取付縁４上に配置される。その取付基部５ａには、クギ，ビス等の固着用の貫通孔５ａ1 が穿孔されることもある。
【００１３】
前記垂直状部５ｂは、前記取付基部５ａから略直角に立上り形成されたものである。該垂直状部５ｂの上端に係止部６が形成されている。該係止部６は、略管状に形成されたものであり、具体的には、前記垂直状部５ｂの上端箇所が断面略円形状に屈曲形成されたものである。また、係止部６は、前記垂直状部５ｂとは別部材として管部材を溶接手段等により固着したものであってもかまわない。その係止部６は、前記屋根板材Ａの水下側立上り部２ａ及び中央立上り部２ｃが係止される部位である。
【００１４】
次に、ジョイント部材Ｃは、図７（Ａ），（Ｂ）等に示すように、二つの挟持部７，８及び締付具９とから構成されたものである。その一対の挟持部７，挟持部８が前記水下側立上り部２ａ及び中央立上り部２ｃの頂部箇所に装着されるものである。挟持部７の下端は、断面略円弧状とした挟持押片７ａが形成され、挟持部８にも左右対称で且つ略同等形状の挟持部８ａが形成されている。
【００１５】
そして、前記挟持部７の挟持押片７ａの上方は略平板状の固定片７ｂが形成され、前記挟持部８の挟持押片８ａの上方は略逆Ｊ字形状のフック板片８ｂが形成されている。フック板片８ｂの上端が略円弧状に屈曲形成されたフック８ｂ1 となっている。該フック８ｂ1 には、後述する保護網１１を係止する役目をなす〔図１（Ｂ），図７（Ａ）参照〕。
【００１６】
その挟持部７，８は、前記水下側立上り部２ａ及び中央立上り部２ｃの頂部に挟持状態に配置され、前記締付具９により固定される。具体的には、前記固定片７ｂとフック板片８ｂとにそれぞれ貫通孔が形成され、該貫通孔にボルト・ナット等からなる締付具９が装着され、両者が前記立上り部２，２，…上に固定される。また、前記ジョイント部材Ｃには、別部材からなる鉤部材が装着されることもあり、鉤部材により前記保護網１１を固定することもある。
【００１７】
次に、栽培層１０は、図１（Ｂ）及び図２（Ｂ）等に示すように、繊維質の材質から構成され、平面的に見て略正方形或いは長方形の偏平布団状に形成されたものである。該栽培層１０は、種子が埋め込まれた育成用マット１０ａから植物が成長して行くものである〔図２（Ｂ）参照〕。その育成用マット１０ａの厚さは、前記屋根板材Ａの水下側立上り部２ａ及び中央立上り部２ｃの高さより高いものが好適である。
【００１８】
次に、保護網１１は、図１（Ａ），（Ｂ）等に示すように、前記屋根板材Ａの底面部１上に載置された育成用マット１０ａを被覆し、育成用マット１０ａを底面部１上に固定する役目をなす。保護網１１は、その略全面が網部としたものであり、前記ジョイント部材Ｃが引っ掛りやすいようになっている〔図７（Ａ）参照〕。前記ジョイント部材Ｃのフック板片８ｂを網部に引っ掛けてもよいが、保護網１１の端部に帯状補強部を形成し、該帯状補強部に形成された貫通孔部を利用して、前記フック板片８ｂを係止したり、或いは鉤部材をその貫通孔部に引掛けてもよい。
【００１９】
次に、下地部１４は、屋根の下地としたもので、勾配を有し、一般の屋根と同様に棟から軒先に向かって下向きに適宜の角度θにて傾斜したものである（図１乃至図３等参照〕。この下地部１４の任意の位置において、その傾斜下方が水下側であり、傾斜上方が水上側である。
【００２０】
次に、緑化屋根の施工について図６等に基づいて述べる。ここでは、下地部１４は勾配を有するものとする。まず前記下地部１４に屋根板材Ａが配置される。ここで、屋根板材Ａの他方側の立上り部２（水下側立上り部２ａ）が下地部１４の水下側に位置し、屋根板材Ａの一方側の立上り部２（水上側立上り部２ｂ）が下地部１４の水上側に位置する〔図６（Ａ）参照〕。その屋根板材Ａの取付縁４上に吊子Ｂの取付基部５ａが載置され、ビス等の固着具１２を介して下地部１４に固着される〔図６（Ｂ）参照〕。このとき、前記吊子Ｂの垂直状部５ｂは、前記一方側の立上り部２と略密着又は近接状態となる。また、前記係止部６は、前記水上側立上り部２ｂの上端より上方に位置することになる。
【００２１】
次に、前記一方側の立上り部２の上方から次位の屋根板材Ａの他方側の立上り部２が被せられ重合する〔図６（Ｂ），（Ｃ）参照〕。このときには、他方側の立上り部２の両立上り片が、前記一方側の立上り部２と，吊子Ｂの垂直状部５ｂとを挟持する構成となる。そして、前記他方側の立上り部２の頂部箇所の裏面が前記係止部６に当接した状態で、前記他方側の立上り部２の頂部箇所を、前記係止部６の外周形状に沿って略同一形状となるようにして締め付けて係止するものである〔図４（Ｃ）参照〕。さらに、隣接する次位の屋根板材Ａの水平縁３は、前位の屋根板材Ａの底面部１に当接し、さらに屈曲端縁３ａが底面部１に押圧状態となり、屋根板材Ａ，Ａ同士の連結を良好にしている。
【００２２】
このようにすることで、他方側の立上り部２の頂部箇所は長手方向に沿って管形状に形成されることになる。また、中央立上り部２ｃにおいては、前記吊子Ｂの取付基部５ａが下地部１４上に固着具１２にて直接固着され、前記他方側の立上り部２と同様に中央立上り部２ｃの頂部箇所が係止部６に締め付けられて係止されるものである。これを順次繰り返して屋根が形成される。
【００２３】
上記屋根板材Ａの一方側，他方側の立上り部２，２及び中央立上り部２ｃ等は、下地部１４の水下側から水上側に向かって、略等間隔となるように配置され、且つ立上り部２，２，…は、下地部１４の傾斜方向に対して直交（略直交も含む）する構造となる。その立上り部２，２間の底面部１上に前記栽培層１０が配置されてゆく。
【００２４】
これによって、下地部１４上に配置された屋根板材Ａ，Ａ，…は、各立上り部２，２，…により適正量の水分Ｗが溜まり、前記栽培層１０に常時水を供給することができる〔図２（Ｂ）参照〕。次に、前記立上り部２，２，…の頂部箇所にはジョイント部材Ｃ，Ｃ，…が装着され、該ジョイント部材Ｃを介して、保護網１１が前記栽培層１０，１０，…を被覆して保護する〔図１（Ａ），（Ｂ）及び図７等参照〕。
【００２５】
また、屋根板材Ａは、前記吊子Ｂを使用しないで、下地部１４上に固定することもできる。具体的には、屋根板材Ａの水上側立上り部２ｂを前記水下側立上り部２ａと略同等又は僅かに低い程度の寸法とし、下地部１４に載置した屋根板材Ａの取付縁４が下地部１４に固着具１２を介して直接，固着される〔図８（Ｂ）参照〕。そして、その一方側の立上り部２（水上側立上り部２ｂ）上に他方側の立上り部２（水下側立上り部２ａ）を被せて両者を略密着状にし、両者に共に変形部２ｄを形成させるものである〔図８（Ａ），（Ｂ）参照〕。
【００２６】
これによって、他方側の立上り部２（水下側立上り部２ａ）は、一方側の立上り部２（水上側立上り部２ｂ）によって固定されるものである。また、前記保護網１１とともに、散水管１３を前記立上り部２，２，…の長手方向に沿って配置し、栽培層１０に水を補給するようにしている。該散水管１３は、ホース形状をなしており、所定間隔に多数の散水孔１３ａ，１３ａ，…が形成され、栽培層１０全体に均一に水分を供給することができるようになっている。
【００２７】
なお、前記下地部１４は、前述したように適宜の傾斜角度θを有する勾配屋根であるとしているが、本発明は、必ずしも勾配屋根にのみに適応するものではなく、（傾斜角度θの）勾配を持たない水平状なフラット屋根にも適応することができる。この場合には、例えばビル，家屋の屋上等を緑化する場合にも適応することができる。この場合であっても、屋根板材Ａを下地部１４へ装着する施工工程は、（傾斜角度θの）勾配を有する下地部１４に屋根板材Ａを施工するのと同一である。
【００２８】
次に、前記屋根板材Ａは、図９（Ａ），（Ｂ），（Ｃ）に示すように、金属薄板部Ａ1 に防水性のあるシート部Ａ2 が被覆された実施形態とすることもある。そのシート部Ａ2 は、合成樹脂からなるものであり、例えば、オレフィン系熱可塑性エラストマー等を主成分とした合成樹脂からなるものである。その厚さは、０．１mm乃至１mmの範囲であり、さらに好ましくは０．２mm程度とすることが多い。
【００２９】
さらに、シート部Ａ2 は、耐久性のあるものが好適である。また、溶融する温度の設定も材質により種々異なるが、建設用材Ａの使用条件に適応するように設定されることが好ましい。また、シート部Ａ2 は、紫外線又は汚染空気に対して強いもので耐候性に優れた材質であり、且つ破断，膨れ或いはひび割れ等が起きにくい性質のものが好ましい。上記の条件を満たす具体的な材質として好適なるものには、エチレンプロピレンを主成分とした合成高分子ゴム材等が存在する。
【００３０】
そのシート部Ａ2 と前記金属薄板部Ａ1 との接合には、接着剤が使用される。具体的には、前記金属薄板部Ａ1 とシート部Ａ2 との間に、接着剤が層状に構成される。該接着剤ｒは、耐熱性を有するものが使用される。具体的には、クロロプレンゴム系接着剤又はニトリルゴム系接着剤等が好適である。建設用材Ａは、屋根板，壁材等に成形される以前は、原材としてコイル状に巻かれたロットとしており、ロール成形機により種々の建築用板として成形される。なお、前記金属薄板部Ａ1 の材質等によっては、前記接着剤は使用されないこともある。
【００３１】
上記実施形態の屋根板材Ａ，Ａ同士において立上り部２，２同士の重合箇所では、上方側に位置する取付縁４と下方に位置する底面部１のシート部Ａ2 ，Ａ2 同士が熱融着又は樹脂溶接されて、水密的な接合が行われるものであり、さらに防水性を高めることができる。
【００３２】
本発明では上述したように、底面部１に適宜の間隔をおいて複数の立上り部２，２，…が平行状に形成されてなる屋根板材Ａが傾斜角度θとして勾配を有する下地部１４上に葺成され、前記立上り部２，２，…の長手方向は前記下地部１４の傾斜方向に対して略直交するものとし、前記底面部１には栽培層１０が配置されることにより、屋根上面にて種々の植物，作物等の栽培を行うことができ、植物に補給するための水分を十分に確保することができ、且つ維持，管理も簡単にできるものである。
【００３３】
屋根板材Ａは、底面部１に適宜の間隔をおいて複数の立上り部２，２，…が平行状に形成されたもので、その屋根板材Ａを下地部１４上に葺成し、且つ前記立上り部２，２，…の長手方向を下地部１４の傾斜方向に対して略直交するものすることで前記立上り部２，２，…の長手方向は、下地部１４の傾斜方向に略直交し且つ水下側から水上側に向かって所定間隔に形成されることとなるので、各立上り部２，２，…箇所と底面部１との間には、適量の水を溜めることができ、栽培層１０に常時，水を補給することができるものである。
【００３４】
また、前記屋根板材Ａの水上側立上り部２ｂの外端縁には取付縁４が形成され、該水平取付縁４が下地部１４に固着され、傾斜上方に隣接する屋根板材Ａの水下側立上り部２ａが前位屋根板材Ａの水下側立上り部２ａに重合され、重合状態の両立上り部２，２，…同士が接合固着されることにより、極めて強固且つ良好なる屋根板材Ａの施工を行うことができる。即ち、前位屋根板材Ａの取付縁４を下地部１４に固着することで、屋根板材Ａ，Ａ同士の連結が極めて強固にすることができる。
【００３５】
また、前記屋根板材Ａは、取付部５の上端に係止部６が形成され吊子Ｂにて固定されるものとし、前記屋根板材Ａの水上側立上り部２ｂの外端縁には取付縁４が形成され、該取付縁４上から吊子Ｂが下地部１４に固着され、水上側に隣接する屋根板材Ａの水下側立上り部２ａが前位屋根板材Ａの水上側立上り部２ｂに重合され、且つ前記係止部６に水下側立上り部２ａが係止固着されることにより、立上り部２，２，…箇所が極めて強固な構造となり、且つ施工も効率的に行われる。
【００３６】
これは、屋根板材Ａを下地部１４上に載置し、その取付縁４上に吊子Ｂを配置して、該吊子Ｂとともに次位の屋根板材Ａの水下側立上り部２ａを被せることにより、隣接する屋根板材Ａの立上り部２，２と吊子Ｂとが組合わさって強固な構造とすることができる。また、吊子Ｂには係止部６が形成され、屋根板材Ａの立上り部２，２，…を吊子Ｂの係止部６に締め付けて固定することにより、極めて簡単に施工することができ、施工効率を向上させることができる。
【００３７】
また、前記屋根板材Ａの水下側立上り部２ａと水上側立上り部２ｂとの間には中央立上り部２ｃが形成されることにより、一つの屋根板材Ａのみで、２以上の立上り部２，２，…を有することとなり、施工効率を向上させることができるものである。
【００３８】
【発明の効果】
請求項１の発明は、底面部１に適宜の間隔をおいて複数の略逆Ｕ字形状に形成された立上り部２が平行状に形成されてなる屋根板材Ａが下地部１４上に葺成され、前記底面部１には栽培層１０が配置され、前記屋根板材Ａの一方側の立上り部２の外端縁から取付縁４が形成され、該取付縁４が前記下地部１４に固着され、前記屋根板材Ａに隣接する次位の屋根板材Ａの他方側の立上り部２が、前位屋根板材Ａの一方側の立上り部２に接合され、前記屋根板材Ａの取付縁４は、取付基部５ａから略直角に立上り形成された垂直状部５ｂの上端に断面略円形状に屈曲形成された係止部６を有する吊子Ｂにて、前記下地部１４上に固着され、前記一方側の立上り部２上に、隣接する次位の屋根板材Ａの他方側の立上り部２が重合され、該他方側の立上り部２が前記吊子Ｂの係止部６に係止固着されてなる緑化屋根としたことにより、屋根上面にて種々の植物，作物等の栽培を行うことができ、植物に補給するための水分を十分に確保することができ、且つ維持，管理も簡単にできる等の効果を奏する。
【００３９】
上記効果を詳述すると、屋根板材Ａは、底面部１に適宜の間隔をおいて複数の立上り部２，２，…が平行状に形成されたもので、その屋根板材Ａを下地部１４上に葺成したものである。これによって、各立上り部２，２，…箇所と底面部１との間には、適量の水分を溜めて確保することができ、栽培層１０に常時，水を補給することができるものである。これは、特に下地部１４が適宜の傾斜角度θを有する場合に好適である。
【００４０】
また、前記屋根板材Ａの一方側の立上り部２の外端縁から取付縁４が形成され、該取付縁４が下地部１４に固着され、前記屋根板材Ａに隣接する次位の屋根板材Ａの他方側の立上り部２が、前位屋根板材Ａの一方側の立上り部２に接合されてなる緑化屋根としたことにより、極めて強固且つ良好なる屋根板材Ａの施工を行うことができる。すなわち、前位の屋根板材Ａの取付縁４を下地部１４に固着することで、前位の屋根板材Ａが下地部１４に対して強固となり、これによって屋根板材Ａ，Ａ同士の連結も極めて強固にすることができる。
【００４１】
さらに、前記屋根板材Ａの取付縁４は、係止部６を有する吊子Ｂにて前記下地部１４上に固着され、前記一方側の立上り部２上に、隣接する次位の屋根板材Ａの他方側の立上り部２が重合され、該他方側の立上り部２が前記吊子Ｂの係止部６に係止固着されてなる緑化屋根としたことにより、立上り部２，２，…箇所が極めて強固な構造となり、且つその施工も簡単となりひいては効率的な作業にすることができる。上記効果を詳述すると、屋根板材Ａを下地部１４上に載置し、その取付縁４上に吊子Ｂを配置固着して、該吊子Ｂに次位の屋根板材Ａの他方側の立上り部２を重合させることにより、隣接する屋根板材Ａの一方側及び他方側の立上り部２，２同士が前記吊子Ｂとともに組合わさって強固な構造とすることができる。また吊子Ｂには、係止部６が形成され、前記他方側の立上り部２を吊子Ｂの係止部６に締め付けるようにして係止固定するのみであり、極めて簡単に施工することができ、施工効率を格段に向上させることができるものである。
【００４２】
請求項２の発明は、前述の構成において、二つの挟持部７，８及び締付具９とから構成され、前記挟持部７の下端は、断面略円弧状とした挟持押片７ａが形成され、挟持部８には左右対称で且つ略同等形状の挟持部８ａが形成されたジョイント部材Ｃの前記挟持部７，挟持部８が前記立上り部２の頂部箇所に装着されてなる緑化屋根としたことにより、前記ジョイント部材Ｃを介して、保護網１１が前記栽培層１０，１０，…を被覆して保護することができる。
【図面の簡単な説明】
【図１】（Ａ）は本発明の緑化屋根を備えた家屋の略示図
（Ｂ）は（Ａ）の要部拡大図
【図２】（Ａ）は本発明の略示縦断側面図
（Ｂ）は（Ａ）のイ部拡大図
【図３】（Ａ）は緑化屋根において栽培層を未装着状態とした略示斜視図
（Ｂ）は本発明のロ部拡大斜視図
【図４】（Ａ）は本発明における吊子装着箇所の拡大斜視図
（Ｂ）は吊子の斜視図
（Ｃ）は（Ａ）の縦断側面図
【図５】（Ａ）は屋根板材の斜視図
（Ｂ）は他方側の立上り部箇所の拡大縦断側面図
（Ｃ）は一方側の立上り部箇所の拡大縦断側面図
【図６】（Ａ）は屋根板材の取付縁上に吊子を装着する工程図
（Ｂ）は固着された屋根板材に隣接する次位の屋根板材を装着しようとする工程図
（Ｃ）は前位の屋根板材と隣接する次位の屋根板材の立上り部同士を重合した工程図
【図７】（Ａ）は隣接する屋根板材同士の重合箇所にジョイント部材を介して保護網が装着された拡大縦断側面図
（Ｂ）は隣接する屋根板材同士の重合箇所にジョイント部材を装着した拡大斜視図
【図８】（Ａ）は吊子を使用しないで屋根板材同士の固着した斜視図
（Ｂ）は（Ａ）の工程図
（Ｃ）は（Ａ）の縦断側面図
【図９】（Ａ）は別の実施形態の屋根板材同士の接合状態を示す拡大断面図
（Ｂ）は他方側の立上り部箇所の拡大縦断側面図
（Ｃ）は一方側の立上り部箇所の拡大縦断側面図
【符号の説明】
Ａ…屋根板材
Ｂ…吊子
１…底面部
２…立上り部
２ｃ…中央立上り部
４…取付縁
５…取付部
６…係止部
１０…栽培層
１４…下地部
【図１】
0004053740.tif 000002
【図２】
0004053740.tif 000003
【図３】
0004053740.tif 000004
【図４】
0004053740.tif 000005
【図５】
0004053740.tif 000006
【図６】
0004053740.tif 000007
【図７】
0004053740.tif 000008
【図８】
0004053740.tif 000009
【図９】
0004053740.tif 000010